(57)【特許請求の範囲】
【請求項１】
スイッチ本体と、キーボタンと、第１配線片と、第２配線片と、第３配線片と、ランプとを備え、
前記スイッチ本体は中空ボックス体であり、前後にピボット孔が形成され、前記ピポット孔には前記キーボタンに形成されている極小突起円型部材が挿入され、
前記キーボタンは前記スイッチ本体の上端部に設置され、左右両側部に弾性掛けがねフックが形成され、
前記第１配線片および前記第３配線片はそれぞれ電源線の端部に接続され、前記第１配線片の上部には第１湾曲体が形成され、前記第１湾曲体には第１白金製接触点が固定して設置され、前記第２配線片の上部には第２湾曲体が形成され、前記第２湾曲体には前記第１白金製接触点と対応する第２白金製接触点が固定して設置され、前記第３配線片には導電線が接続され設置され、前記導電線には抵抗器が接続され設置され、前記第３配線片は前記抵抗器と接続され、
前記ランプは前記スイッチ本体に設置されている複数の固定柱により前記キーボタンの下部に固定され、接続されている２個の導電線がそれぞれ前記抵抗器および前記第２配線片に接続され、前記第１配線片および前記第２配線片が接続され、通電されると、導電状態を示すために前記ランプは発光し、
前記スイッチ本体は側面の前記キーボタンに対応する位置にコの字型細みぞが形成され、前記コの字型細みぞの内部には前記スイッチ本体の側壁に一方が固定されている弾性片が設置され、前記弾性片の内側面にはアーチ型突起体が形成され、前記キーボタンの両側面の底部には前記アーチ型突起体と固定される突起体が形成されていることを特徴とするシーソースイッチ。
【発明の詳細な説明】
【０００１】
【発明の属する技術分野】
本発明は、シーソースイッチに関する。
【０００２】
【従来の技術】
図７および図８に示すように、一般に、室内で使用されている照明スイッチ７は、シーソースイッチ（SEE-SAW SWITCH）であり、シーソー状のキーボタン７１の端部が押圧され、圧力スプリング７３の弾力を受け、底部の押し下げシリンダー７２がシーソー状の導電片７４を押し込み、閉作動OFFまたは通電状態ONが調節される。
【０００３】
しかしながら、従来のシーソースイッチは、下記の欠点を有する。
１．シーソー状の導電片７４は、中間部の配線片７５の上部の凹溝７５１をピボット点にシーソー運動される。キーボタン７１には、中間部に押下げシリンダー７２および圧力スプリング７３が設置される設置スペースが形成されている。このため、部品が増加し、組立の時間およびコストが増加する。
【０００４】
２．導電片７４はU字型溝７５１の上部が長期間作動されると、磨耗あるいは緩みにより抜け落ち易くなる。また、押し下げシリンダー７２が導電片の上部で長期間往復運動されると、圧力スプリング７３は弾力性疲労を発生しやすく、押し下げシリンダー７２の押圧力が減少され、通電接続の有効性に悪影響を及ぼす。
【０００５】
３．押し下げシリンダー７２はスイッチ本体の中間部に設置され、ランプ７６は設置スペース７１１の上部に設置され、キーボタン７１は連動され動かされる。導電スプリング線７８がランプ７６の電源である第３接続片７７の上部からランプ７６に接続されているため、組立は不便であり、故障率が増加する。
【０００６】
【発明が解決しようとする課題】
そこで、本発明の目的は、組立が容易であり、コストを減少できるシーソースイッチを提供することにある。
【０００７】
【課題を解決するための手段】
本発明のシーソースイッチによると、下記の構造を含む。スイッチ本体は中空ボックス体であり、ピボット孔が形成されている。ピポット孔にはキーボタンに形成されている極小突起円型部材が挿入されている。キーボタンはスイッチ本体の上端部に設置され、左右両側部に弾性掛けがねフックが形成されている。第１配線片および第３の配線片はそれぞれ電源線の端部に接続されている。第１配線片の上部には第１湾曲体が形成され、第１湾曲体には第１白金製接触点が固定されている。第２配線片の上部には第２湾曲体が形成され、第２湾曲体には第１白金製接触点と対応する第２白金製接触点が固定されている。第３配線片は導電線により抵抗器に接続されている。ランプはキーボタンの下部に固定され、２個の導電線がそれぞれ抵抗器および第２配線片に接続されている。
したがって、少量の部品で形成され、コストを減少できるシーソースイッチが形成される。また、組立が便利であり、生産力は向上する。
【０００８】
【発明の実施の形態】
以下、本発明の実施の形態を図面に基づいて説明する。
図１から図３に示すように、本発明の一実施例によるシーソースイッチによると、下記の構造を有する。スイッチ本体１は、１個の中空ボックス体であり、前後部にはピボット孔１１が形成されている。ピポット孔１１はキーボタン２の極小突起円形部材２１が挿入されている。キーボタン２はスイッチ本体１の上部面に設置され、左右両側には弾性掛けがねフック１２が形成されている。
【０００９】
第１配線片３および第３配線片５はそれぞれ電線の端部に接続されている。第１配線片３の上部には湾曲体３２が形成され、湾曲体３２には第１白金製接触点３１が固定されている。第２配線片４の上部には湾曲体４２が形成され、湾曲体４２には第１配線片３の第１白金製接触点３１に対応する第２白金製接触点４１が固定されている。第３配線片５は導電線５１により抵抗器５２に接続されている。
【００１０】
ランプ６はキーボタン２の下部に設置され、スイッチ本体１の内部の複数の固定柱により固定されている。ランプ６に設置されている導電線６１および導電線６２はそれぞれ抵抗器５２および第２配線片４に接続されている。第１配線片３および第２配線片４が接続され、通電されるとき、通電状態を示すランプ６が発光される。
【００１１】
スイッチ本体１は側面にキーボタン２に対応してコの字型細みぞ１３が形成され、コの字型細みぞ１３の内部にはスイッチ本体１の側壁に一方が固定されている弾性片１４が形成され、弾性片１４の内側面にはアーチ型突起体１４１が形成されている。キーボタン２の両側端の底部には、弾性片１４のアーチ型突起体１４１と対応し噛合わされる突起体２２が形成されている。
【００１２】
弾性片１４は一方が固定され、左右両側にコの字型細みぞ１３が形成されている。キーボタンの突起体２２は、弾性片１４に対応して形成され、２個の弾性片１４が形成されているとき、２個の突起物が形成される。１個の弾性片１４によりキーボタンはONまたはOFFに調節される。２個の弾性片１４が使用されるとき、押圧の質感が向上され、使用寿命は延長される。
【００１３】
図３に示すように、スイッチはオフOFF状態に調節されている。キーボタン２は中間部の極小突起円形部材２１をピボット中心点に左側部が跳ね上げられ、第２配線片４の上部の湾曲体４２および第２白金製接触点４１に接触されていない。このため、第１配線片３と第２配線片４は、接続されていない。キーボタン２は突起体２２が一方の弾性片１４とアーチ型突起体１４１が接続され、右側部が押圧されないとき、オフOFF状態が維持される。
【００１４】
図４に示すように、キーボタン２の左側部が押圧されると、突起体２２は滑り落とされ、弾性片１４の突起体１４１が押圧され、弾性片１４が外側に押し出され、アーチ型突起体１４１は突起体２２を通過し、落下される。図５に示すように、弾性片１４は弾力により回復される。このとき、キーボタン２は右方向に跳ね上げられ、左下部の突起体２２は第２配線片４の第２白金製接触点４１および湾曲体４２を押し下げ、第２白金製接触点４１は第１白金製接触点３１と接触通電され、第１配線片３と第２配線片４は接触通電され、通電状態を示すランプ６が発光される。
【００１５】
キーボタン２の左側部の突起体２２は、左側部の弾性片１４のアーチ型突起体１４１の底辺面に配置され、キーボタン２はフック固定される。弾性片１４が右側部のみに設置されているとき、右側部の突起体２２は右側アーチ型突起体１４１の上部のアーチ型溝で固定される。キーボタン２が切り換えられないとき、第２白金製接触点４１と第１白金製接触点３１は角度が維持され、押され続け、通電状態が維持される。スイッチ本体１の左側部または右側部の一方に弾性片１４が設置されているとき、キーボタン２はフック固定され、ONまたはOFFの調節が行われる。２個の弾性片１４が設置されているとき、押圧質感および使用寿命は大幅に向上される。
【００１６】
本実施例は、従来のシーソースイッチに設置されている押し下げシリンダー７２、圧力スプリング７３および導電スプリング線７８などを必要としないため、コストが削減される。また、組立は便利で、生産力は向上する。
さらに、弾力性疲労により通電接触不良を発生する圧力スプリング７３が設置されていないため、故障率は低下され、使用寿命は延長される。
【００１７】
押し下げシリンダー７２がスイッチ本体１に設置されていないため、スペースは省略され、図６に示すように、スイッチ本体はスイッチ全体の高さを低く形成され、体積を減少できる。
【図面の簡単な説明】
【図１】本発明の一実施例によるシーソースイッチを示す斜視図である。
【図２】本発明の一実施例によるシーソースイッチを示す側面図である。
【図３】本発明の一実施例によるシーソースイッチを示す模式図である。
【図４】本発明の一実施例によるシーソースイッチを示す模式図である。
【図５】本発明の一実施例によるシーソースイッチを示す模式図である。
【図６】本発明の一実施例によるシーソースイッチを示す模式図である。
【図７】従来のシーソースイッチを示す模式図である。
【図８】従来のシーソースイッチを示す模式図である。
【符号の説明】
１    スイッチ本体
２    キーボタン
３    第１配線片
４    第２配線片
５    第３配線片
６    ランプ
１１    ピボット孔
１２    弾性掛けがねフック
１３    コ字型細みぞ
１４    アーチ型突起体
１５    固定柱
２１    極小突起円形部材
２２    突起体
３２    湾曲体
３１    第１白金製接触点
４１    第２白金製接触点
４２    湾曲体
５１    導電線
５２    抵抗器
６１    導電線
６２    導電線
【図１】
0003751821.tif 000002
【図２】
0003751821.tif 000003
【図３】
0003751821.tif 000004
【図４】
0003751821.tif 000005
【図５】
0003751821.tif 000006
【図６】
0003751821.tif 000007
【図７】
0003751821.tif 000008
【図８】
0003751821.tif 000009